(57)【要約】【課題】本発明は診断しょうとする鼓膜の表面イメージと鼓膜の断層及び中耳の状態を非切開的な方式で実時間で撮影し、これをディスプレイのＬＣＤ上に表示するようになっている診断及びディスプレイ一体型光断層撮影検耳鏡に関する。【解決手段】一定大きさの中空構造を備え、前面には耳鏡（ｅａｒ  ｓｐｅｃｕｌａｒ）が取り付けられ、後面にはＬＣＤを含むディスプレイが取り付けられ、下部には操作用ハンドルが取り付けられた筐体；上記筐体の内部にｃｃｄカメラを備え、上記耳鏡を通じて患者の鼓膜イメージを撮影する映像撮影部；及び上記筐体の内部にコリメーター（ｃｏｌｌｉｍａｔｏｒ）とガルボミラー（ｇａｌｖｏ  ｍｉｒｒｏｒ）を備え、上記耳鏡を介して患者の鼓膜及び中耳の断層を撮影する断層撮影部；を備えた構造である。
2014510583.tif 000002
【特許請求の範囲】
【請求項１】
中耳炎を検査するための装置であって、
一定サイズの中空構造を備え、前面には耳鏡（ｅａｒ  ｓｐｅｃｕｌａｒ）が取り付けられ、後面にはＬＣＤを含むディスプレイが取り付けられ、下部には操作用ハンドルが取り付けられた筐体；
前記筐体の内部にｃｃｄカメラを備え、前記耳鏡を通じて患者の鼓膜のイメージを撮影する映像撮影部；及び
前記筐体の内部にコリメーター（ｃｏｌｌｉｍａｔｏｒ）とガルボミラー（ｇａｌｖｏ  ｍｉｒｒｏｒ）を備え、前記耳鏡を介して患者の鼓膜及び中耳の断層を撮影する断層撮影部；を含み、
前記映像撮影部から得られた鼓膜イメージと、前記断層撮影部から得られた鼓膜及び中耳の断層のイメージを前記ディスプレイのＬＣＤ上に実時間で表れ、所望のイメージを保存することができるように構成されたことを特徴とする診断及びディスプレイ一体型光断層撮影検耳鏡。
【請求項２】
前記筐体は、耳鏡に照明用可視光源が取り付けられて患者の耳の中を照明するものであることを特徴とする請求項１に記載の診断及びディスプレイ一体型光断層撮影検耳鏡。 
【請求項３】
前記映像撮影部は、前記ｃｃｄカメラの後方側に拡大レンズを備え、前記拡大レンズの後方側に色補正フィルターミラー（ｄｉｃｈｒｏｉｃ  ｍｉｒｒｏｒ）を備え、前記色補正フィルターミラーの後方側に焦点レンズを備えて前記ｃｃｄカメラが耳鏡を通じて患者の鼓膜のイメージを実時間で撮影するものであることを特徴とする請求項１に記載の診断及びディスプレイ一体型光断層撮影検耳鏡。 
【請求項４】
前記断層撮影部は、前記コリメーター（ｃｏｌｌｉｍａｔｏｒ）の後方側にガルボミラー（ｇａｌｖｏ  ｍｉｒｒｏｒ）を備え、前記ガルボミラーの後方側に色補正フィルターミラー（ｄｉｃｈｒｏｉｃ  ｍｉｒｒｏｒ）を備え、前記色補正フィルターミラーの後方側に焦点レンズを備えて前記耳鏡を通じて患者の鼓膜及び中耳の断層を撮影するものであることを特徴とする請求項１に記載の診断及びディスプレイ一体型光断層撮影検耳鏡。 
【請求項５】
前記色補正フィルターミラーは、傾斜した状態で取り付けられて前記映像撮影部のｃｃｄカメラから伝達された光を透過させて焦点レンズ側に伝達し、前記断層撮影部のコリメーター（ｃｏｌｌｉｍａｔｏｒ）から伝達された光をその前面から焦点レンズ側に反射させて伝達するものであることを特徴とする請求項３または４に記載の診断及びディスプレイ一体型光断層撮影検耳鏡。
【請求項６】
前記ディスプレイは、ＬＣＤの一側に前記映像撮影部から得られた鼓膜イメージを表示し、ＬＣＤの他側に前記断層撮影部から得られた鼓膜及び中耳の断層イメージを同時に表示するものであることを特徴とする請求項１に記載の診断及びディスプレイ一体型光断層撮影検耳鏡。 
【請求項７】
前記ハンドルは、その一側にボタンを備え、前記ボタンを押すことによって前記映像撮影部から得られた鼓膜のイメージと前記断層撮影部から得られた鼓膜及び中耳の断層イメージを制御部に内蔵されたメモリに保存するものであることを特徴とする請求項１に記載の診断及びディスプレイ一体型光断層撮影検耳鏡。
【発明の詳細な説明】
【技術分野】
【０００１】
本発明は、中耳炎を検査する装置に関するもので、さらに詳しくは、診断しようとする鼓膜の表面イメージと鼓膜の断層及び中耳の状態を非切開的な方式で実時間で撮影し、これをディスプレイのＬＣＤ上に表示することで、患者の状態を直ちに確認することができ、診療の便宜性を大きく高めることができるだけでなく、診療の手順が容易で病気の早期診断が可能であるため、発生の原因に合わせて処方を直ちにすることができる診断及びディスプレイ一体型光断層撮影検耳鏡に関する。
【背景技術】
【０００２】
一般的に、中耳炎（Ｏｔｉｔｉｓ  ｍｅｄｉａ）とは、鼓膜の奥側に位置した中耳腔という空間に炎症が生じることをいい、特に、小児の場合、病院を訪れる患者のうち最も高い割合を示す疾患であるため、鼓膜の状態のみを確認して診断する形の耳鼻咽喉科とその装備には限界がある現状である。
【０００３】
従来の中耳炎の診断方法は、臨床の症状と検耳鏡を用いて鼓膜表面の状態のみ診断していた。しかし、このような従来の方法は、中耳炎の感染原因を早期に診断することが難しく、細菌による感染と一般的な感染のどちらであるかを確認することが容易ではないだけでなく、鼓膜の下に位置した中耳の状態を確認することができないため、正確な診療は非常に困難であった。
【０００４】
このような中耳炎患者の鼓膜の断層を撮影するためには、ＣＴ、ＭＲＩのような別途の断層撮影装置を用いるが、その解像度が低く正確な診療は困難である。
【０００５】
また、このような方法は、診療の手順の複雑さとともに患者診療の便宜性を低下させる要因となり、病気の早期診断が困難であるだけでなく、患者診療の際に別途のモニター装置を用いることで、患者の診療が難しく、イメージの保存が容易ではないため、患者診療データの確保が困難である。
【０００６】
例えば、従来の検耳鏡の形は、基本的に２つに分けられる。すなわち、図１ａに図示されたように、目視で直接近づいてレンズを通じて検査できるレンズ型検耳鏡１０と、図１ｂに図示されたように、検耳鏡２２とカメラ２４を連結して映像を確認することのできる映像検耳鏡２０の形態に分けられる。
【０００７】
このような従来のレンズ型検耳鏡１０の短所は、医者が目視で鼓膜を確認するものであって、普通は鼓膜のサイズが小さくて暗いため、鼓膜の状態を正確に判断することが難しく、医者の視力によって鼓膜の状態の確認のために内蔵された拡大レンズを取り替えて診療を行わなければならない。
【０００８】
このような形のレンズ型検耳鏡１０は、鼓膜の表面状態のみを確認して医者が主観的に診断しなければならないため、誤診の恐れがあり、診療時間が長くなり得るという要因となり得る。
【０００９】
また従来のカメラ形態の映像検耳鏡２０の場合、光を鼓膜に照らして鮮明に鼓膜を確認することはできるものの、照らす光は光ファイバーを通じて照らし、大型モニターを用いて確認するため、このような装置の価格を上昇させる要因となる。
【００１０】
そしてカメラの解像度が悪く、色の区別が明確ではなく、別途のモニター装置は患者の診断と同時に得られたイメージの確認が不可能であるという短所がある。
【００１１】
一方、これとは違って、図２ａに図示されたような内視鏡（Ｅｎｄｏｓｃｏｐｅ）型の検耳鏡３０が提案されている。このような従来の内視鏡型検耳鏡３０は、耳鼻咽喉科で最も多く使われる形態であり、高解像度カメラを使用して光の明るさが鮮明なため、鼓膜状態の確認がレンズ型検耳鏡１０または映像検耳鏡２０よりさらに容易である。
【００１２】
しかし、このような従来の内視鏡型検耳鏡３０は、従来の検耳鏡と同様に鼓膜の表面状態のみを診療することで、鼓膜の裏側の中耳腔の状態の確認ができないという短所がある。
【００１３】
また、このような装置は、暗い所を照らすために高価の光ファイバーを使用しなければならないため、機器のコストを高める要因となり、別途のモニターを必要とすることで診断と同時に鼓膜のイメージの確認が難しいという短所とともに、装置の大きさも大きくなるという短所がある。
【００１４】
また、これとは違って、図２ｂに図示されたような手術用顕微鏡４０が提案されている。このような従来の手術用顕微鏡４０の場合、同じくレンズ型検耳鏡１０または映像検耳鏡２０、内視鏡型検耳鏡３０の形と同様に鼓膜の表面のみの診療が可能である。また装置のサイズが非常に大きく、高価の装備であり、目視で直接確認しなければならないため、人の視力によって顕微鏡のレンズを調節しなければならないという厄介さがある。
【先行技術文献】
【特許文献】
【００１５】
【特許文献１】米国特許第６３１９１９９号明細書
【発明の概要】
【発明が解決しようとする課題】
【００１６】
本発明の目的は、上記のような従来の問題点を解消するためのものであって、診断しようとする鼓膜表面のイメージとともに、鼓膜の断層及び中耳の状態を同時に撮影して検耳鏡に含まれたディスプレイ装置にて実時間で示すことができ、所望のイメージを直ちに保存して活用できる診断及びディスプレイ一体型光断層撮影検耳鏡を提供することにある。
【００１７】
また、本発明の他の目的は、得られた２次元映像を用いて鼓膜の表面状態だけでなく、鼓膜の断層状態及び鼓膜の下に位置した中耳の病気が同時に確認できるため、従来の検耳鏡より誤診率を減らすことができ、中耳方向の深さ方向の地点別の確認ができるため鼓膜の厚さ測定及び病気の発生部位の正確な判断が実時間でできることとなり、診療の効率性及び信頼度を確保することができ、診療の手順を単純化することができるため、診療の便宜性及び患者のデータの確保に容易な診断及びディスプレイ一体型光断層撮影検耳鏡を提供することにある。
【課題を解決するための手段】
【００１８】
上記のような目的を達成すべく、本発明は、中耳炎を検査するための装置において、一定サイズの中空構造を備え、前面には耳鏡（ｅａｒ  ｓｐｅｃｕｌａｒ）が取り付けられ、後面にはＬＣＤを含むディスプレイが取り付けられ、下部には操作用ハンドルが取り付けられた筐体；上記筐体の内部にｃｃｄカメラを備え、上記耳鏡を通じて患者の鼓膜イメージを撮影する映像撮影部；及び上記筐体の内部にコリメーター（ｃｏｌｌｉｍａｔｏｒ）とガルボミラー（ｇａｌｖｏ  ｍｉｒｒｏｒ）を備え、上記耳鏡を介して患者の鼓膜及び中耳の断層を撮影する断層撮影部；を含み、上記映像撮影部から得られた鼓膜イメージと、上記断層撮影部から得られた鼓膜及び中耳の断層イメージが上記ディスプレイのＬＣＤ上に実時間で表れることを特徴とする診断及びディスプレイ一体型光断層撮影検耳鏡を提供する。
【００１９】
また本発明は、好ましくは、上記筐体は、耳鏡に照明用可視光源が取り付けられて患者の耳の中を照明するものであることを特徴とする診断及びディスプレイ一体型光断層撮影検耳鏡を提供する。
【００２０】
そして本発明は、好ましくは、上記映像撮影部は、上記ｃｃｄカメラの後方側に拡大レンズを備え、上記拡大レンズの後方側に色補正フィルターミラー（ｄｉｃｈｒｏｉｃ  ｍｉｒｒｏｒ）を備え、上記色補正フィルターミラーの後方側に焦点レンズを備えて上記ｃｃｄカメラが耳鏡を通じて患者の鼓膜イメージを実時間で撮影するものであることを特徴とする診断及びディスプレイ一体型光断層撮影検耳鏡を提供する。
【００２１】
また本発明は、好ましくは、上記断層撮影部は、上記コリメーター（ｃｏｌｌｉｍａｔｏｒ）の後方側にガルボミラー（ｇａｌｖｏ  ｍｉｒｒｏｒ）を備え、上記ガルボミラーの後方側に色補正フィルターミラー（ｄｉｃｈｒｏｉｃ  ｍｉｒｒｏｒ）を備え、上記色補正フィルターミラーの後方側に焦点レンズを備えて上記耳鏡を通じて患者の鼓膜及び中耳の断層を撮影するものであることを特徴とする診断及びディスプレイ一体型光断層撮影検耳鏡を提供する。
【００２２】
そして本発明は、好ましくは、上記色補正フィルターミラーは、傾斜した状態で取り付けられて上記映像撮影部のｃｃｄカメラから伝達された光を透過させて焦点レンズ側に伝達し、上記断層撮影部のコリメーター（ｃｏｌｌｉｍａｔｏｒ）から伝達された光をその前面から焦点レンズ側に反射させて伝達するものであることを特徴とする診断及びディスプレイ一体型光断層撮影検耳鏡を提供する。
【００２３】
また本発明は、好ましくは、上記ディスプレイは、ＬＣＤの一側に上記映像撮影部から得られた鼓膜イメージを表示し、ＬＣＤの他側に上記断層撮影部から得られた鼓膜及び中耳の断層イメージを同時に表示するものであることを特徴とする診断及びディスプレイ一体型光断層撮影検耳鏡を提供する。
【００２４】
そして本発明は、好ましくは、上記ハンドルは、その一側にボタンを備え、上記ボタンを押すことによって上記映像撮影部から得られた鼓膜イメージと上記断層撮影部から得られた鼓膜及び中耳の断層イメージを制御部に内蔵されたメモリに保存するものであることを特徴とする診断及びディスプレイ一体型光断層撮影検耳鏡を提供する。
【発明の効果】
【００２５】
本発明による診断及びディスプレイ一体型光断層撮影検耳鏡によると、映像撮影部において鼓膜イメージを撮影し、断層撮影部において鼓膜及び中耳の断層イメージを撮影して、筐体の後面に配置されたディスプレイのＬＣＤ上に同時に実時間で表し、所望のイメージを制御部に内蔵されたメモリに保存して活用することができる。
【００２６】
従って、本発明によると、鼓膜の表面状態と同時に鼓膜の断層及び中耳の状態を確認することができ、既存のＣＴやＭＲＩより優れた解像度を提供し、病気診断の手順を簡素化することによって、病気の感染の原因を早期診断して発生の原因に合わせて適切な処方ができ、一般的な病気と細菌の感染による病気の区別を確実にすることができるため、これによる誤診を減らすことが可能という優れた効果が得られる。
【００２７】
さらに、本発明によると、映像撮影部と断層撮影部から得られた２次元映像を用いて鼓膜の表面状態だけでなく、鼓膜の断層状態及び鼓膜の下に位置した中耳の病気が同時に確認可能で、従来の検耳鏡より誤診率を減らすことができ、中耳方向の深さ方向の地点別の確認が可能で、鼓膜の厚さ測定及び病気の発生部位の正確な判断が実時間でできるため、診療の効率性及び信頼度を確保することができ、診療の手順を単純化することができるため、診療の便宜性及び患者のデータの確保に容易という優れた効果が得られる。
【図面の簡単な説明】
【００２８】
【図１】（ａ）は従来のレンズ型検耳鏡構造を図示した外観斜視図、（ｂ）は従来の映像検耳鏡構造を図示した外観斜視図である。
【図２】（ａ）は従来の内視鏡型検耳鏡構造を図示した外観斜視図、（ｂ）は従来の手術用顕微鏡構造を図示した外観斜視図である。
【図３】本発明による診断及びディスプレイ一体型光断層撮影検耳鏡を図示した外観構造図である。
【図４】本発明による診断及びディスプレイ一体型光断層撮影検耳鏡の分解図である。
【図５】本発明による診断及びディスプレイ一体型光断層撮影検耳鏡の内部組み立て構造の側面図である。
【図６】本発明による診断及びディスプレイ一体型光断層撮影検耳鏡の動作原理を図示した作動説明図である。
【図７】本発明による診断及びディスプレイ一体型光断層撮影検耳鏡の筐体後面に備えられたディスプレイ上に鼓膜イメージ映像と鼓膜及び中耳の断層イメージ映像が同時に表示された状態を図示した説明図である。
【図８】本発明による診断及びディスプレイ一体型光断層撮影検耳鏡から得られた、（ａ）は鼓膜イメージ映像を図示した写真、（ｂ）鼓膜及び中耳の断層イメージ映像を図示した写真、（ｃ）は、鼓膜及び中耳の断層イメージ映像のうち特定の部分をグラフ化（ａ−ｓｃａｎ）して鼓膜の厚さと中耳の状態を確認したイメージグラフである。
【発明を実施するための形態】
【００２９】
以下、本発明の好ましい実施例を図面を参照にさらに詳しく説明する。
【００３０】
本発明による診断及びディスプレイ一体型光断層撮影検耳鏡１００は、中耳炎を検査するための装置であって、図３乃至図６に図示されたように、一定サイズの中空構造の筐体１１０を備える。
【００３１】
このような筐体１１０は、好ましくは、四角箱状であって、その前面には耳鏡（ｅａｒ  ｓｐｅｃｕｌａｒ）１１２が取り付けられ、後面にはＬＣＤを含むディスプレイ１１４が取り付けられ、下部には操作用ハンドル１１６が取り付けられた構造である。
【００３２】
そして、本発明による診断及びディスプレイ一体型光断層撮影検耳鏡１００は、上記筐体１１０の内部にｃｃｄカメラ１３２を備え、上記耳鏡１１２を通じて患者の鼓膜イメージを撮影する映像撮影部１３０を備える。
【００３３】
このような映像撮影部１３０は、上記ｃｃｄカメラ１３２の後方側に拡大レンズ１３４を備え、上記拡大レンズ１３４の後方側に色補正フィルターミラー（ｄｉｃｈｒｏｉｃ  ｍｉｒｒｏｒ）１５０を備える。
【００３４】
また上記色補正フィルターミラー１５０の後方側に焦点レンズ１５２を備えて上記ｃｃｄカメラ１３２が耳鏡１１２を通じて患者の鼓膜イメージを実時間で撮影することとなる。
【００３５】
このような映像撮影部１３０は、ＣＣＤカメラ１３２が耳の中の小さい対象体である鼓膜Ｐをイメージングするために拡大レンズ１３４を通過して色補正フィルターミラー（ｄｉｃｈｒｏｉｃ  ｍｉｒｒｏｒ）１５０と焦点レンズ１５２を通過し、耳鏡１１２を介して耳の中の鼓膜Ｐの表面をイメージ撮影する。
【００３６】
そしてイメージ化された鼓膜イメージ映像Ｓ１は、以後に説明されるように、制御部２００を通じて筐体１１０の後面側に取り付けられたディスプレイ１１４のＬＣＤ画面に示されることとなる。
【００３７】
また本発明による診断及びディスプレイ一体型光断層撮影検耳鏡１００は、上記筐体１１０の内部にコリメーター（ｃｏｌｌｉｍａｔｏｒ）１７２とガルボミラー（ｇａｌｖｏ  ｍｉｒｒｏｒ）１７４を備え、上記耳鏡１１２を介して患者の鼓膜Ｐ及び中耳Ｔの断層を撮影する断層撮影部１７０を備える。
【００３８】
このような断層撮影部１７０は、上記コリメーター（ｃｏｌｌｉｍａｔｏｒ）１７２の後方側にガルボミラー（ｇａｌｖｏ  ｍｉｒｒｏｒ）１７４を備えるが、このようなガルボミラー１７４の後方側には色補正フィルターミラー（ｄｉｃｈｒｏｉｃ  ｍｉｒｒｏｒ）１５０を備え、上記色補正フィルターミラー１５０の後方側に焦点レンズ１５２を備えて上記耳鏡１１２を通じて患者の鼓膜Ｐ及び中耳Ｔの断層を撮影する構造である。
【００３９】
このような断層撮影部１７０は、図６に図示されたように、コリメーター（ｃｏｌｌｉｍａｔｏｒ）１７２とガルボミラー（ｇａｌｖｏ  ｍｉｒｒｏｒ）１７４を介して、そして色補正フィルターミラー１５０と焦点レンズ１５２を介して耳鏡１１２の端に焦点をなすこととなり鼓膜Ｐ及び中耳Ｔの断層を撮影することとなる。
【００４０】
そしてイメージ化された鼓膜Ｐ及び中耳Ｔの断層映像Ｓ２は、制御部２００を通じて筐体１１０の後面側に取り付けられたディスプレイ１１４のＬＣＤ画面に鼓膜イメージ映像Ｓ１と同時に並んで表れることとなる。
【００４１】
このように上記イメージ化された鼓膜イメージ映像Ｓ１と鼓膜Ｐ及び中耳Ｔの断層映像Ｓ２は、好ましくは、図７に図示されたように、ＬＣＤの一側下部に上記映像撮影部１３０から得られた鼓膜イメージ映像Ｓ１を表示し、ＬＣＤの他側上部に上記断層撮影部１７０から得られた鼓膜Ｐ及び中耳Ｔの断層イメージ映像Ｓ２を同時に表示することができる。
【００４２】
このような本発明による診断及びディスプレイ一体型光断層撮影検耳鏡１００は、上記映像撮影部１３０と断層撮影部１７０とに共通して使用する色補正フィルターミラー１５０を備えるが、このような色補正フィルターミラー１５０は、図５及び図６に図示されたように、傾斜した状態で取り付けられて上記焦点レンズ１５２から映像撮影部１３０のｃｃｄカメラ１３２へ光を透過させて伝達し、上記焦点レンズ１５２から断層撮影部１７０のガルボミラー１７４とコリメーター（ｃｏｌｌｉｍａｔｏｒ）１７２側に光を反射させて伝達することとなる。
【００４３】
このような色補正フィルターミラー１５０は、可視光線のうち一定範囲の波長光を反射させて残ったものを透過させるフィルターの役割を果たす鏡である。このような色補正フィルターミラー１５０は、他の用途のフィルターとは違って、フィルターそのものが透過する波長の補色に反射するという特性を有する。
【００４４】
このような色補正フィルターミラー１５０は、例えばカラー用拡大機においてカラープリンターの色感調節のために使われることもでき、当業界において通常使われる構造であれば構わない。
【００４５】
また本発明による診断及びディスプレイ一体型光断層撮影検耳鏡１００は、筐体１１０の前面に取り付けられた耳鏡１１２に照明用可視光源１８０が取り付けられて患者の耳の中を照明するように構成される。このような照明用可視光源１８０は、外部光源（未図示）から光ファイバーを通じて提供されることができる。
【００４６】
そして本発明による診断及びディスプレイ一体型光断層撮影検耳鏡１００は、図３乃至図５に図示されたように、ハンドル１１６の一側にボタン１９０を備え、上記ボタン１９０を押すことによって上記映像撮影部１３０から得られた鼓膜イメージ映像Ｓ１と、上記断層撮影部１７０から得られた鼓膜Ｐ及び中耳Ｔの断層イメージ映像Ｓ２を制御部２００に内蔵されたメモリ（未図示）に保存する構造からなる。
【００４７】
このような制御部２００は、好ましくは、小型パソコンからなるものであって、その内部には各種の情報を保存するメモリを内蔵し、情報を処理する演算部を備える通常のものである。
【００４８】
上記のように、構成された本発明による診断及びディスプレイ一体型光断層撮影検耳鏡１００は、映像撮影部１３０から得られた鼓膜イメージ映像Ｓ１と、上記断層撮影部１７０から得られた鼓膜Ｐ及び中耳Ｔの断層イメージ映像Ｓ２を上記ディスプレイ１１４のＬＣＤ上に実時間で表し、所望のイメージを保存することとなる。
【００４９】
すなわち、医者は患者の鼓膜の表面検査と同時に、非切開的な方法で患者の鼓膜Ｐの表面と鼓膜Ｐ及び中耳Ｔを断層撮影して筐体１１０の後面に取り付けられたディスプレイ１１４のＬＣＤ画面にイメージ映像Ｓ１、Ｓ２を表示して実時間で確認することが可能で、必要なイメージの保存がハンドル１１６に備えられたボタン１９０を通じて容易に獲得できる。このように獲得した２次元映像を基に外耳から中耳へと深さ方向の地点別に病気の確認及び鼓膜の厚さの測定が実時間で可能であるため、診療の効率性及び信頼度の確保が容易である。
【００５０】
これのために、本発明による診断及びディスプレイ一体型光断層撮影検耳鏡１００は、図６に図示されたように、映像撮影部１３０のＣＣＤカメラ１３２が拡大レンズ１３４、色補正フィルターミラー（ｄｉｃｈｒｏｉｃ  ｍｉｒｒｏｒ）１５０、焦点レンズ１５２を通じて耳の中の鼓膜Ｐの表面をイメージ撮影する。
【００５１】
そしてイメージ化された鼓膜イメージ映像Ｓ１は、制御部２００を通じて図７に図示されたように、筐体１１０の後面側に取り付けられたディスプレイ１１４のＬＣＤ画面の下部に示されることとなる。
【００５２】
また本発明による診断及びディスプレイ一体型光断層撮影検耳鏡１００は、断層撮影部１７０がコリメーター（ｃｏｌｌｉｍａｔｏｒ）１７２、ガルボミラー（ｇａｌｖｏ  ｍｉｒｒｏｒ）１７４、色補正フィルターミラー（ｄｉｃｈｒｏｉｃ  ｍｉｒｒｏｒ）１５０、焦点レンズ１５２を通じて患者の鼓膜Ｐ及び中耳Ｔの断層を撮影する。
【００５３】
また、このように撮影された鼓膜Ｐ及び中耳Ｔの断層映像Ｓ２は、制御部２００を通じて筐体１１０の後面側に取り付けられたディスプレイ１１４のＬＣＤ画面の上部に鼓膜イメージ映像Ｓ１と同時に並んで表れることとなる。
【００５４】
図８ａは、本発明による診断及びディスプレイ一体型光断層撮影検耳鏡１００を用いて実際に撮影した正常人の鼓膜イメージ映像Ｓ１であって、映像撮影部１３０のＣＣＤカメラ１３２を通じて獲得した鼓膜の全体イメージであり、図８ｂは断層撮影部１７０を通じて獲得した鼓膜の断層イメージ映像Ｓ２である。
【００５５】
図８ｂの断層イメージ映像Ｓ２において横は鼓膜の水平方向であり、縦は中耳方向の深さ方向である。図８ｃは、図８ｂのイメージのうち特定の部分をグラフ化（ａ−ｓｃａｎ）して鼓膜の厚さと中耳の状態を確認したイメージグラフＳ３である。上記イメージグラフＳ３の横方向が中耳方向への深さ方向であり、縦は深さによる強度である。
【００５６】
このように、本発明による診断及びディスプレイ一体型光断層撮影検耳鏡１００は、映像撮影部１３０において鼓膜イメージ映像Ｓ１を撮影し、断層撮影部１７０において鼓膜Ｐ及び中耳Ｔの断層イメージ映像Ｓ２を撮影して筐体１１０の後面に配置されたディスプレイ１１４のＬＣＤ上に同時に実時間で表し、所望のイメージ映像Ｓ１、Ｓ２を制御部２００に内蔵されたメモリに保存して活用できるようにする。
【００５７】
従って、本発明による診断及びディスプレイ一体型光断層撮影検耳鏡１００は、鼓膜Ｐの表面状態と、同時に鼓膜Ｐの断層及び中耳Ｔの状態が確認可能で、既存のＣＴやＭＲＩより優れた解像度を提供し、病気診断の手順を簡素化することで、病気の感染の原因を早期診断して発生の原因に合わせて適切な処方が可能となり、一般的な病気と細菌の感染による病気の区別が確実に可能なため、これによる誤診を減らすことができる。
【００５８】
また本発明による診断及びディスプレイ一体型光断層撮影検耳鏡１００は、映像撮影部１３０と断層撮影部１７０から得られた２次元映像Ｓ１、Ｓ２を用いて鼓膜Ｐの表面の状態だけでなく、鼓膜Ｐの断層状態及び鼓膜Ｐの下に位置した中耳Ｔの病気が同時に確認可能であって、従来の検耳鏡より誤診率を減らすことができ、中耳方向の深さ方向の地点別の確認が可能で、鼓膜の厚さ測定及び病気の発生部位の正確な判断が実時間で可能であるため、診療の効率性及び信頼度を確保することができ、診療の手順を単純化することができるため、診療の便宜性及び患者のデータの確保が容易となる。
【００５９】
本発明は、上記において図面を参照して特定の実施例に関して詳しく説明したが、本発明は、このような特定の構造に限定されるものではない。当業界の通常の知識を有するものであれば、添付の特許請求の範囲に記載された本発明の技術思想及び権利範囲を外れることなく、本発明を様々に修正または変更させることができる。例えば、ディスプレイ１１４のＬＣＤ上に表示される鼓膜イメージ映像Ｓ１と、鼓膜Ｐ及び中耳Ｔの断層イメージ映像Ｓ２は同時に表示されることもできるが、それぞれ交互に順番にボタン１９０の操作を通じて表示されることも当然可能である。しかし、このような単純な修正または変更の構造はいずれも明らかに本発明の権利範囲内に属することを明らかにする。
【図１（ａ）】
2014510583.tif 000003
【図１（ｂ）】
2014510583.tif 000004
【図２（ａ）】
2014510583.tif 000005
【図２（ｂ）】
2014510583.tif 000006
【図３】
2014510583.tif 000007
【図４】
2014510583.tif 000008
【図５】
2014510583.tif 000009
【図６】
2014510583.tif 000010
【図７】
2014510583.tif 000011
【図８】
2014510583.tif 000012
【国際調査報告】
2014510583.tif 000013
2014510583.tif 000014
2014510583.tif 000015
2014510583.tif 000016